(57)【要約】表示装置(10)において、第１のユニット(310)の第１グループのガス放電管(110)は第１の複数のサブグループ(110U,110D)に分けられ、第２のユニット(312)の第２グループのガス放電管(112)は第１の複数のサブグループに対応する第２の複数のサブグループ(112U,112D)に分けられている。第１の複数のサブグループの中の或るサブグループのガス放電管の端部と、第２の複数のサブグループの中のそれに対応するサブグループのガス放電管の端部との間の長手方向の接触位置は、第１の複数のサブグループの中の別のサブグループのガス放電管の端部と、第２の複数のサブグループの中のそれに対応する別のサブグループのガス放電管の端部との間の長手方向の接触位置に対して所定の距離(Dno)だけ離れている。
2008050445.tif 000002
【特許請求の範囲】
【請求項１】
内部に、蛍光体層が形成されると共に放電ガスが封入され、長手方向に複数の発光点をそれぞれ有する複数のガス放電管が並置され、前記複数のガス放電管の表示面側に複数対の表示電極が配置され、前記複数のガス放電管の背面側に複数の信号電極が配置された複数のユニットからなる表示装置であって、
前記複数のユニットの中の隣接する２つのユニットのうちの一方のユニットに配置された第１グループのガス放電管の端部は、前記２つのユニットのうちの他方のユニットに配置された第２グループのガス放電管の端部と接触し、
前記第１グループのガス放電管は第１の複数のサブグループに分けられ、前記第２グループのガス放電管は前記第１の複数のサブグループに対応する第２の複数のサブグループに分けられており、
前記第１の複数のサブグループの中の或るサブグループのガス放電管の端部と、前記第２の複数のサブグループの中のそれに対応するサブグループのガス放電管の端部との間の長手方向の接触位置が、前記第１の複数のサブグループの中の別のサブグループのガス放電管の端部と、前記第２の複数のサブグループの中のそれに対応する別のサブグループのガス放電管の端部との間の長手方向の接触位置に対して所定の距離だけ離れていることを特徴とする、表示装置。
【請求項２】
前記第１および第２の複数のサブグループの各サブグループは、隣接する３の倍数の数のガス放電管からなることを特徴とする、請求項１に記載の表示装置。
【請求項３】
前記第１の複数のサブグループの中の互いに離れた幾つかのサブグループのガス放電管の端部と、前記第２の複数のサブグループの中のそれに対応する互いに離れた幾つかのサブグループのガス放電管の端部との間の長手方向の接触位置は、前記第１の複数のサブグループの中の残りのガス放電管の端部と、前記第２の複数のサブグループの中の残りのガス放電管の端部との間の長手方向の接触位置に対して前記所定の距離だけ離れていることを特徴とする、請求項１または２に記載の表示装置。
【請求項４】
前記第１の複数のサブグループの中の互いに離れた第１の幾つかのサブグループのガス放電管の端部と、前記第２の複数のサブグループの中のそれに対応する互いに離れた第２の幾つかのサブグループのガス放電管の端部との間の長手方向の接触位置は、前記第１の複数のサブグループの中の互いに離れた第３の幾つかのサブグループのガス放電管の端部と、前記第２の複数のサブグループの中のそれに対応する互いに離れた第４の幾つかのサブグループのガス放電管の端部との間の長手方向の接触位置に対して所定の距離だけ離れており、
前記第１の複数のサブグループの中の互いに離れた第５の幾つかのサブグループのガス放電管の端部と、前記第２の複数のサブグループの中のそれに対応する互いに離れた第６の幾つかのサブグループのガス放電管の端部との間の長手方向の接触位置は、前記第１および第３の幾つかのサブグループのガス放電管の端部と、前記第２および第４の幾つかのサブグループのガス放電管の端部との間の長手方向の接触位置に対して所定の距離だけ離れていることを特徴とする、請求項１または２に記載の表示装置。
【請求項５】
前記所定の距離は前記ガス放電管における長手方向の連続する複数のセルの長さに対応するものであることを特徴とする、請求項１乃至４のいずれかに記載の表示装置。
【請求項６】
前記複数のユニットの各々は、前記複数対の表示電極が内側表面に形成された透明な前面側基板と、前記複数の信号電極が内側表面に形成された背面側基板と、を有し、
前記前面側基板と前記背面側基板は複数のガス放電管を挟持するものであることを特徴とする、請求項１乃至５のいずれかに記載の表示装置。
【請求項７】
内部に、蛍光体層が形成されると共に放電ガスが封入され、長手方向に複数の発光点をそれぞれ有する第１グループのガス放電管の一部が並置され、前記第１グループのガス放電管の表示面側に複数対の表示電極が配置され、前記第１グループのガス放電管の背面側に複数の信号電極が配置された第１のユニットと、
内部に、蛍光体層が形成されると共に放電ガスが封入され、前記第１グループのガス放電管の残りの一部が並置され、前記第１グループのガス放電管の残りの一部の端部に隣接して長手方向に複数の発光点をそれぞれ有する第２グループのガス放電管の一部が並置され、前記第１グループのガス放電管の残りの一部と前記第２グループのガス放電管の一部の表示面側に複数の表示電極が配置され、前記第１グループのガス放電管の残りの一部と前記第２グループのガス放電管の一部の背面側に複数の信号電極が配置された第２のユニットと、
を有し、
前記第１グループのガス放電管の端部は、前記第２グループのガス放電管の端部と接触し、前記第１グループのガス放電管の端部と第２グループのガス放電管の端部の接触位置は、前記第２のユニットの領域に位置し、
前記第１グループのガス放電管は第１の複数のサブグループに分けられ、前記第２グループのガス放電管は前記第１の複数のサブグループに対応する第２の複数のサブグループに分けられており、
前記第１の複数のサブグループの中の或るサブグループのガス放電管の端部と、前記第２の複数のサブグループの中のそれに対応するサブグループのガス放電管の端部との間の長手方向の接触位置が、前記第１の複数のサブグループの中の別のサブグループのガス放電管の端部と、前記第２の複数のサブグループの中のそれに対応する別のサブグループのガス放電管の端部との間の長手方向の接触位置に対して所定の距離だけ離れていることを特徴とする、表示装置。
【請求項８】
前記第１および第２の複数のサブグループの各サブグループは、隣接する３の倍数の数のガス放電管からなることを特徴とする、請求項７に記載の表示装置。
【請求項９】
前記第１の複数のサブグループの中の互いに離れた幾つかのサブグループのガス放電管の端部と、前記第２の複数のサブグループの中のそれに対応する互いに離れた幾つかのサブグループのガス放電管の端部との間の長手方向の接触位置は、前記第１の複数のサブグループの中の残りのガス放電管の端部と、前記第２の複数のサブグループの中の残りのガス放電管の端部との間の長手方向の接触位置に対して前記所定の距離だけ離れていることを特徴とする、請求項７または８に記載の表示装置。
【請求項１０】
前記第１の複数のサブグループの中の互いに離れた第１の幾つかのサブグループのガス放電管の端部と、前記第２の複数のサブグループの中のそれに対応する互いに離れた第２の幾つかのサブグループのガス放電管の端部との間の長手方向の接触位置は、前記第１の複数のサブグループの中の互いに離れた第３の幾つかのサブグループのガス放電管の端部と、前記第２の複数のサブグループの中のそれに対応する互いに離れた第４の幾つかのサブグループのガス放電管の端部との間の長手方向の接触位置に対して所定の距離だけ離れており、
前記第１の複数のサブグループの中の互いに離れた第５の幾つかのサブグループのガス放電管の端部と、前記第２の複数のサブグループの中のそれに対応する互いに離れた第６の幾つかのサブグループのガス放電管の端部との間の長手方向の接触位置は、前記第１および第３の幾つかのサブグループのガス放電管の端部と、前記第２および第４の幾つかのサブグループのガス放電管の端部との間の長手方向の接触位置に対して所定の距離だけ離れていることを特徴とする、請求項７または８に記載の表示装置。
【請求項１１】
前記所定の距離は前記ガス放電管における長手方向の連続する複数のセルの長さに対応するものであることを特徴とする、請求項７乃至１０のいずれかに記載の表示装置。
【請求項１２】
前記第１および第２のユニットの各々は、前記複数対の表示電極が内側表面に形成された透明な前面側基板と、前記複数の信号電極が内側表面に形成された背面側基板と、を有し、
前記前面側基板と前記背面側基板は複数のガス放電管を挟持するものであることを特徴とする、請求項７乃至１１のいずれかに記載の表示装置。
【発明の詳細な説明】
【技術分野】
【０００１】
本発明は、複数の部分からなる大型の表示装置に関し、特に、組立てが容易な複数のプラズマ・チューブ・アレイからなる表示装置に関する。
【背景技術】
【０００２】
プラズマ・ディスプレイ・パネル（ＰＤＰ）は、縦横の多数の小セルの閉じた放電空間内でプラズマ放電を生じさせ、放電プラズマから放出される１４７ｎｍの紫外光で蛍光体を励起して発光させる。そのセル空間は、重ね合わせた２枚の平板のガラスの間に形成される。一方、例えば特開２００３−９２０８５号公報（Ａ）（特許文献１）に記載されているようなプラズマ・チューブ・アレイ（ＰＴＡ）では、細長いガラス・チューブ内に蛍光体層を形成し、そのチューブ内に多数のセル空間を形成する。そのようなプラズマ・チューブを多数並置したプラズマ・チューブ・アレイを縦横に組み立てることによって、例えば６ｍ×３ｍの大型の表示画面を形成することができる。
特開平１０−１７１３７７号公報（特許文献２）（特許第３６２４５９６号に対応）には、画像表示装置が記載されている。その画像表示装置は、駆動基板が複数の配線基板を介して表示パネルに接続されており、互いに隣接する３つの配線基板のうち、一方の配線基板の隣接側の最外部電極の外側位置に、他方の配線基板の隣接側の最外部電極と接続されるダミー電極が設けられている。それによって、複数枚の配線基板により駆動基板を表示パネルと接続した場合にも、隣接電極間の結合容量を均一化することができる。
特開２００３−２９７０５号公報（特許文献３）には、プラズマ・ディスプレイ・パネルの駆動方法が記載されている。その駆動方法において、有効表示領域の内で放電空間を挟んで対向する２電極に反対の極性の電圧を印加して表示すべきセルを選択する際に、有効表示領域の外側に配置されたダミー電極にセルを選択するアドレス期間の間に一定の電圧を供給する。それによって、プラズマ・ディスプレイ・パネルにおける有効表示領域の上側の縁部と下側の縁部で発生する異常放電が防止される。
特開２００４−３７８８４号公報（特許文献４）には、プラズマ・ディスプレイ装置が記載されている。そのプラズマ・ディスプレイ装置は、対をなす複数の第１電極および第２電極を配置した第１基板と、第１電極および第２電極とほぼ直交する複数の第３電極が設けられかつ第１基板と放電空間を挟んで対向配置される第２基板とを有する。第１基板上の表示領域外に第１電極または第２電極と平行でかつ第３電極とほぼ直交するように少なくとも１つのダミー電極を設けてパネルが構成される。１フレームを構成する複数のサブフィールドのうち、少なくとも１つのサブフィールドの書込み期間において、第１ラインの書込み放電に先立ってダミー電極に書込みパルスが印加されてダミー電極と第３電極間で放電を起こす。それによって、プラズマ・ディスプレイ装置の表示品位が向上する。
【特許文献１】特開２００３−９２０８５号公報
【特許文献２】特開平１０−１７１３７７号公報
【特許文献３】特開２００３−２９７０５号公報
【特許文献４】特開２００４−３７８８４号公報
【発明の開示】
【発明が解決しようとする課題】
【０００３】
プラズマ・チューブの大型の表示装置を前面側および背面側の支持基板の間に配置された大きいサイズの１つのプラズマ・チューブ・アレイだけで作製するのは、表示装置の製造上実際的でない。表示装置の組立が容易なプラズマ・チューブ・アレイの分割された複数のユニットまたはモジュールを製作し、それらのユニットを隣接配置することによって１つの大型の表示装置を有利に形成することができる。
そのような表示装置において、プラズマ・チューブの長手方向に隣接する２つのプラズマ・チューブ・アレイは、プラズマ・チューブ・アレイを構成するプラズマ・チューブが非常に細いので、その一部を保持したときに僅かな撓みを呈し、また管毎の寸法のばらつきのせいで管幅の累積誤差を含んでいる。従って、一方のプラズマ・チューブ・アレイの下端とそれに隣接する他方のプラズマ・チューブ・アレイの上端とを高い精度で位置合わせするのは、容易ではなく、非常に多くの工程数を要し、製造コストが高くなる。【０００４】
発明者たちは、チューブの長手方向に隣接する２つのプラズマ・チューブ・アレイのそれぞれの一部のチューブを長手方向にずらして配置すれば、２つのプラズマ・チューブ・アレイを容易に位置合わせすることができる、と認識した。【０００５】
本発明の目的は、位置合わせが容易な構成を有する複数のプラズマ・チューブ・アレイを含む表示装置を実現することである。
【課題を解決するための手段】
【０００６】
本発明の特徴によれば、表示装置は、内部に、蛍光体層が形成されると共に放電ガスが封入され、長手方向に複数の発光点をそれぞれ有する複数のガス放電管が並置され、その複数のガス放電管の表示面側に複数対の表示電極が配置され、その複数のガス放電管の背面側に複数の信号電極が配置された複数のユニットからなる。その複数のユニットの中の隣接する２つのユニットのうちの一方のユニットに配置された第１グループのガス放電管の端部は、その２つのユニットのうちの他方のユニットに配置された第２グループのガス放電管の端部と接触し、その第１グループのガス放電管の端部と第２グループのガス放電管の端部の接触位置は、その一方および／または他方のユニットにおけるその一方のユニットとその他方のユニットの境界付近の領域に位置する。その第１グループのガス放電管は第１の複数のサブグループに分けられ、その第２グループのガス放電管はその第１の複数のサブグループに対応する第２の複数のサブグループに分けられる。その第１の複数のサブグループの中の或るサブグループのガス放電管の端部と、その第２の複数のサブグループの中のそれに対応するサブグループのガス放電管の端部との間の長手方向の接触位置が、その第１の複数のサブグループの中の別のサブグループのガス放電管の端部と、その第２の複数のサブグループの中のそれに対応する別のサブグループのガス放電管の端部との間の長手方向の接触位置に対して所定の距離だけ離れている。
本発明の別の特徴によれば、表示装置は、内部に、蛍光体層が形成されると共に放電ガスが封入され、長手方向に複数の発光点をそれぞれ有する第１グループのガス放電管の一部が並置され、その第１グループのガス放電管の表示面側に複数対の表示電極が配置され、その第１グループのガス放電管の背面側に複数の信号電極が配置された第１のユニットと；内部に、蛍光体層が形成されると共に放電ガスが封入され、その第１グループのガス放電管の残りの一部が並置され、その第１グループのガス放電管の残りの一部の端部に隣接して長手方向に複数の発光点をそれぞれ有する第２グループのガス放電管の一部が並置され、その第１グループのガス放電管の残りの一部とその第２グループのガス放電管の一部の表示面側に複数の表示電極が配置され、その第１グループのガス放電管の残りの一部とその第２グループのガス放電管の一部の背面側に複数の信号電極が配置された第２のユニットと、を有する。その第１グループのガス放電管の端部は、その第２グループのガス放電管の端部と接触し、その第１グループのガス放電管の端部と第２グループのガス放電管の端部の接触位置は、その第２のユニットの領域に位置する。その第１グループのガス放電管は第１の複数のサブグループに分けられ、その第２グループのガス放電管はその第１の複数のサブグループに対応する第２の複数のサブグループに分けられる。その第１の複数のサブグループの中の或るサブグループのガス放電管の端部と、その第２の複数のサブグループの中のそれに対応するサブグループのガス放電管の端部との間の長手方向の接触位置が、その第１の複数のサブグループの中の別のサブグループのガス放電管の端部と、その第２の複数のサブグループの中のそれに対応する別のサブグループのガス放電管の端部との間の長手方向の接触位置に対して所定の距離だけ離れている。
【発明の効果】
【０００７】
本発明によれば、位置合わせが容易な構成を有する複数のプラズマ・チューブ・アレイを含む表示装置を実現できる。
【図面の簡単な説明】
【０００８】
【図１】図１は、通常のカラー表示装置のプラズマ・チューブまたはガス放電管のアレイの概略的な部分的構造を例示している。
【図２】図２Ａは、透明な複数の表示電極対が形成された前面側支持基板を示している。図２Ｂは、複数の信号電極または信号電極が形成された背面側支持基板を示している。
【図３】図３は、ＰＴＡユニットのプラズマ・チューブ・アレイの管の長手方向に垂直な断面の構造を示している。
【図４】図４は、ＰＴＡユニット、アドレス（Ａ）電極ドライバ装置、Ｘ電極ドライバ装置およびＹ電極ドライバ装置を具える通常のプラズマ・チューブ・アレイ型の表示装置を示している。
【図５】図５は、通常の表示装置における、Ａ電極ドライバ装置、Ｘ電極ドライバ装置およびＹ電極ドライバ装置の出力駆動電圧波形の概略的な駆動シーケンスを例示している。
【図６】図６は、通常の表示装置の組み立てに用いられる２つのＰＴＡユニットにおけるプラズマ・チューブの配置を示している。
【図７】図７は、本発明の実施形態による、表示装置の組み立てに用いられる上側および下側の２つのＰＴＡユニットにおけるプラズマ・チューブの配置を示している。
【図８】図８は、実施形態による、ＰＴＡユニット、アドレス（Ａ）電極ドライバ装置、Ｘ電極ドライバ装置およびＹ電極ドライバ装置を具える表示装置の概略的構成を示している。
【図９】図９は、本発明の別の実施形態による、ＰＴＡユニット、Ａ電極ドライバ装置、Ｘ電極ドライバ装置およびＹ電極ドライバ装置を具える表示装置の概略的構成を示している。
【図１０】図１０は、本発明のさらに別の実施形態による、ＰＴＡユニット、Ａ電極ドライバ装置、Ｘ電極ドライバ装置およびＹ電極ドライバ装置を具える表示装置の概略的構成を示している。
【図１１】図１１は、本発明のさらに別の実施形態による、ＰＴＡユニット、Ａ電極ドライバ装置、Ｘ電極ドライバ装置およびＹ電極ドライバ装置を具える表示装置の概略的構成を示している。
【図１２】図１２Ａ〜１２Ｇは、図８〜１１の表示装置における、上側のＡ電極ドライバ装置、Ｘ電極ドライバ装置およびＹ電極ドライバ装置の出力駆動電圧波形の概略的な駆動シーケンスの例を示している。
【発明を実施するための最良の形態】
【０００９】
本発明の実施形態を、図面を参照して説明する。図面において、同様の構成要素には同じ参照番号が付されている。【００１０】
図１は、通常のカラー表示装置用のプラズマ・チューブまたはガス放電管１１Ｒ、１１Ｇおよび１１Ｂのアレイのユニット３００の概略的な部分的構造を例示している。図１において、プラズマ・チューブ・アレイ（ＰＴＡ）のユニット３００は、互いに平行に配置された透明な細長いカラー・プラズマ・チューブ１１Ｒ、１１Ｇおよび１１Ｂのアレイ、透明な前面側の支持シートまたは薄い基板からなる前面側支持基板３１、透明なまたは不透明な背面側の支持シートまたは薄い基板からなる背面側支持基板３２、複数の表示電極対または主電極対２、および複数の信号電極またはアドレス電極３を含んでいる。図１において、Ｘは表示電極２のうちの維持電極またはＸ電極を示し、Ｙは表示電極２のうちの走査電極またはＹ電極を示している。Ｒ、ＧおよびＢは蛍光体の発光色である赤、緑および青を示している。支持基板３１および３２は、例えば可撓性のＰＥＴフィルム、ガラス等で作られている。
細長いプラズマ・チューブ１１Ｒ、１１Ｇおよび１１Ｂの細管２０は、例えばホウケイ酸ガラス、パイレックス（登録商標）、ソーダガラス、石英ガラスまたはゼロデュアのような透明な絶縁体で作製され、典型的には、管径が２ｍｍ以下であり、例えば、管の断面の幅約１ｍｍおよび高さは幅よりも少し小さい扁平型であり、長さが３００ｍｍ以上であり、管壁の厚さ約０．１ｍｍの寸法を有する。
プラズマ・チューブ１１Ｒ、１１Ｇおよび１１Ｂの内部の背面側には、赤、緑、青（Ｒ、Ｇ、Ｂ）の蛍光体層４がそれぞれ形成され、放電ガスが導入されて、両端が封止されている。プラズマ・チューブ１１Ｒ、１１Ｇおよび１１Ｂの内面にはＭｇＯからなる電子放出膜５が形成されている。蛍光体層Ｒ、Ｇ、Ｂは、典型的には、約１０μｍ〜約５０μｍの範囲の厚さを有する。
蛍光体層４は支持部材上に形成されていてもよい。そのような支持部材は、プラズマ・チューブ１１Ｒ、１１Ｇ、１１Ｂと同様に、例えばホウケイ酸ガラス、パイレックス（登録商標）、石英ガラス、ソーダガラス、鉛ガラスのような絶縁体で形成される。支持部材は、ガラス管の外部で、支持部材上に蛍光体ペーストを塗布し、それを焼成して支持部材上に蛍光体層４を形成した後、その支持部材をガラス管内に挿入して配置することができる。そのような蛍光体ペーストとして、当該分野で公知の各種の蛍光体ペーストを利用することができる。
電子放出膜５は、放電ガスの荷電粒子との衝突により電子を発生する。蛍光体層４は、表示電極対２に電圧を印加することにより励起された管内に封入された放電ガスが脱励起することによって発生する真空紫外光によって励起され、可視光を発生する。【００１１】
図２Ａは、透明な複数の表示電極対２が形成された前面側支持基板３１を示している。図２Ｂは、複数の信号電極３が形成された背面側支持基板３２を示している。
信号電極３は、背面側支持基板３２の前面すなわち内面上に形成され、プラズマ・チューブ１１Ｒ、１１Ｇおよび１１Ｂの長手方向に沿って設けられている。隣接する信号電極３間のピッチは、プラズマ・チューブ１１Ｒ、１１Ｇおよび１１Ｂの各々の幅とほぼ同じであり、例えば１ｍｍである。複数の表示電極対２は、周知の形態で前面側支持基板３１の背面すなわち内面上に形成され、信号電極３と直角に交差する方向に配置されている。表示電極２の幅は例えば０．７５ｍｍであり、各１対の表示電極２の端縁間の距離は例えば０．４ｍｍである。表示電極対２と隣の表示電極対２の間には、非放電領域となる距離または非放電ギャップが確保され、その距離は例えば１．１ｍｍである。
信号電極３と表示電極対２は、ＰＴＡユニット３００の組み立て時にプラズマ・チューブ１１Ｒ、１１Ｇおよび１１Ｂの下側の外周面部分と上側の外周面部分にそれぞれ密着するように接触させる。その密着性を良くするために、それぞれの電極とプラズマ・チューブ面との間に接着剤を介在させて接着してもよい。
このＰＴＡユニット３００を正面から平面的にみた場合、信号電極３と表示電極対２との交差部が単位発光領域となる。表示は、表示電極対２のいずれか１本を走査電極Ｙとして用い、その走査電極Ｙと信号電極３との交差部で選択放電を発生させて発光領域を選択し、その放電により当該領域の管内面に形成された壁電荷を利用して、表示電極対２で表示放電を発生させ、蛍光体層を発光させることによって行う。選択放電は、垂直方向に対向する走査Ｙ電極と信号電極３との間のプラズマ・チューブ１１Ｒ、１１Ｇおよび１１Ｂ内で発生される対向放電である。表示放電は、平面上に平行に配置された１対の表示電極間のプラズマ・チューブ１１Ｒ、１１Ｇおよび１１Ｂ内で発生される面放電である。
表示電極対２と信号電極３は、電圧を印加することによって管内部の放電ガスに放電を発生させることが可能である。図１では、プラズマ・チューブ１１Ｒ、１１Ｇおよび１１Ｂの電極構造は、１つの発光部位に３つの電極が配置された構成であり、表示電極対２によって表示放電が発生される構造であるが、これに限定されるものではなく、表示電極２と信号電極３の間で表示放電が発生される構造であってもよい。即ち、表示電極対２を１本とし、この表示電極２を走査電極として用いて信号電極３との間に選択放電と表示放電（対向放電）を発生させる形式の電極構造であってもよい。【００１２】
図３は、ＰＴＡユニット３００のプラズマ・チューブ・アレイ１１の管の長手方向に垂直な断面の構造を示している。ＰＴＡユニット３００において、プラズマ・チューブ１１Ｒ、１１Ｇおよび１１Ｂは、その内面に蛍光体層４Ｒ、４Ｇおよび４Ｂが形成されており、断面幅１．０ｍｍ、断面高さ０．７ｍｍ、管壁の厚さ０．１ｍｍ、および長さ１ｍ〜３ｍの細管からなる。一実施例として、赤の蛍光体４Ｒはイットリア系（（Ｙ．Ｇａ）ＢＯ3：Ｅｕ）の材料を含み、緑の蛍光体４Ｇはジンクシリケート系（Ｚｎ2ＳｉＯ4：Ｍｎ）の材料を含み、青の蛍光体４ＢはＢＡＭ系（ＢａＭｇＡｌ10Ｏ17：Ｅｕ）の材料を含む。
図３において、プラズマ・チューブ１１Ｒ、１１Ｇおよび１１Ｂの底面には、粘着剤層３４を介して背面側支持基板３２が接着されている。プラズマ・チューブ１１Ｒ、１１Ｇおよび１１Ｂの底面に、および背面側支持基板３２の上面に信号電極３が配置されている。また、信号電極３は、プラズマ・チューブ１１Ｒ、１１Ｇおよび１１Ｂの底面に直接形成することもある。【００１３】
図４は、ＰＴＡユニット３００、アドレス（Ａ）電極ドライバ装置４００、Ｘ電極ドライバ装置５００およびＹ電極ドライバ装置６００を具える通常のプラズマ・チューブ・アレイ型の表示装置１００を示している。ＰＴＡユニット３００において、ｎ対の表示電極２ （Ｘ１，Ｙ１）、．．．、（Ｘｊ，Ｙｊ）、．．．（Ｘｎ，Ｙｎ）の中のＸ電極は、Ｘ電極ドライバ装置５００のＸ電極用の維持電圧パルス回路（ＳＳＴ）５０に接続され、その中のＹ電極はＹ電極ドライバ装置６００の走査パルス回路（ＳＣＮ）７０に接続される。ｍ本の信号電極３ Ａ１、．．．、Ａｉ、．．．Ａｍは、Ａ電極ドライバ装置４００に接続される。Ｘ電極ドライバ装置５００はさらにリセット回路５１を含んでいる。Ｙ電極ドライバ装置６００はさらに維持電圧パルス回路６０およびリセット回路６１を含んでいる。ドライバ制御回路（ＣＴＲＬ）４２が、Ａ電極ドライバ装置４００、Ｘ電極ドライバ装置５００およびＹ電極ドライバ装置６００に接続される。【００１４】
次に、一般的なプラズマ・チューブ・アレイ型のＡＣ型ガス放電表示装置の駆動法の一例について説明する。１つのピクチャ（映像）は典型的には１フレーム期間で構成されており、インターレース型走査では１フレームが２つのフィールドで構成され、プログレッシブ型走査では１フレームが１つのフィールドで構成されている。また、通常のテレビジョン方式による動画表示のためには１秒間に３０または６０フレームの表示が必要である。そこでこの種ガス放電表示装置１０による表示では、２値の発光制御によって階調を持ったカラー再現を行うために、典型的にはそのような１フィールドＦをｑ個のサブフィールドＳＦの集合に置き換える。しばしば、これらサブフィールドＳＦに順に２0，２1，２2，．．．２q-1等の異なる重みを付けて各サブフィールドＳＦの表示放電の回数を設定する。サブフィールド単位の発光／非発光の組合せでＲ，ＧおよびＢの各色毎にＮ（＝１＋２1＋２2＋．．．＋２q-1 ）段階の輝度設定を行うことができる。このようなフィールド構成に合わせてフィールド転送周期であるフィールド期間Ｔｆをｑ個のサブフィールド期間Ｔｓｆに分割し、各サブフィールドＳＦに１つのサブフィールド期間Ｔｓｆを割り当てる。さらに、サブフィールド期間Ｔｓｆを、初期化のためのリセット期間ＴＲ、アドレッシングのためのアドレス期間ＴＡ、および維持放電による発光のための表示期間ＴＳに分ける。典型的には、リセット期間ＴＲおよびアドレス期間ＴＡの長さが重みに係わらず一定であるのに対し、表示期間ＴＳにおけるパルス数は重みが大きいほど多く、表示期間ＴＳの長さは重みが大きいほど長い。この場合、サブフィールド期間Ｔｓｆの長さも、該当するサブフィールドＳＦの重みが大きいほど長い。【００１５】
図５は、通常の表示装置１００における、Ａ電極ドライバ装置４００、Ｘ電極ドライバ装置５００およびＹ電極ドライバ装置６００の出力駆動電圧波形の概略的な駆動シーケンスを例示している。なお、図示の波形は一例であり、振幅、極性およびタイミングを様々に変更することができる。
リセット期間ＴＲ、アドレス期間ＴＡおよびサステイン期間ＴＳの順序は、ｑ個のサブフィールドＳＦにおいて同じであり、駆動シーケンスはサブフィールドＳＦ毎に繰り返される。各サブフィールドＳＦのリセット期間ＴＲにおいては、全ての表示電極Ｘに対して負極性のパルスＰｒｘ１と正極性のパルスＰｒｘ２とを順に印加し、全ての表示電極Ｙに対して正極性のパルスＰｒｙ１と負極性のパルスＰｒｙ２とを順に印加する。パルスＰｒｘ１，Ｐｒｙ１およびＰｒｙ２は微小放電が生じる変化率で振幅が漸増するランプ波形または鈍波パルスである。最初に印加されるパルスＰｒｘ１およびＰｒｙ１は、前サブフィールドＳＦにおける発光／非発光に係わらず全ての放電セルにいったん同一極性の適度の壁電荷を生じさせるために印加される。引き続き適度の壁電荷が存在する放電セルにパルスＰｒｘ２およびＰｒｙ２を印加することにより、この壁電荷を維持パルスでは再放電しないレベル（消去状態）まで減少させるように調整する。セルに加わる駆動電圧は、表示電極ＸおよびＹに印加されるパルスの振幅の差を表す合成電圧である。
アドレス期間ＴＡにおいては、発光させる放電セルのみに放電維持に必要な壁電荷を形成する。全ての表示電極Ｘ１〜Ｘｎおよび全ての表示電極Ｙ１〜Ｙｎを所定電位にバイアスした状態で、行選択期間（１行分のスキャン時間）毎に選択行に対応した表示電極Ｙｊに負極性のスキャン・パルスＶｙｊを印加する。この行選択と同時にアドレス放電を生じさせるべき選択セルに対応したアドレス電極Ａｉのみにアドレス・パルスＶａを印加する。つまり、選択行ｊのｍ列分のサブフィールドデータＤｓｆに基づいてアドレス電極Ａ1〜Ａmの電位を走査ライン毎に２値制御する。これによって、選択セルでは表示電極Ｙｊとアドレス電極Ａｉとの間で放電管内にアドレス放電が生じる。そのアドレス放電によって書き込まれた表示データが放電管のセル内壁に壁電荷の形で記憶され、その後のサステイン・パルスの印加により表示電極Ｘ−Ｙ間の面放電が生じる。
サステステイン期間ＴＳにおいては、最初に先のアドレス放電で生じた壁電荷と加算されて維持放電を発生する極性（図の例では正極性）のサステイン・パルスＰｓを印加する。その後、表示電極Ｘと表示電極Ｙとに対して交互にサステイン・パルスＰｓを印加する。サステイン・パルスＰｓの振幅は維持電圧Ｖｓである。サステイン・パルスＰｓの印加によって、所定の壁電荷が残存する放電セルにおいて面放電が生じる。サステイン・パルスＰｓの印加回数は、上述したようにサブフィールドＳＦの重みに対応する。なお、サステイン期間ＴＳ全体にわたって不要な対向放電を防止するために、アドレス電極Ａをサステイン・パルスＰｓと同極性の電圧Ｖａｓにバイアスする。【００１６】
図６は、通常の表示装置の組み立てに用いられる２つのＰＴＡユニット３００および３０２を示している。ＰＴＡユニット３００と３０２は、ＰＴＡユニット３００の垂直方向に配置されたプラズマ・チューブ１１０の下端とＰＴＡユニット３０２の垂直方向に配置された対応するプラズマ・チューブ１１２上端とが互いに接触するように配置される。
ＰＴＡユニット３００および３０２は、チューブ１１０および１１２が非常に細いので、一部を保持したときに僅かな撓みを呈し、また管毎の寸法のばらつきのせいで管幅の累積誤差を含んでいる。従って、ＰＴＡユニット３００の全てのチューブ１１０の下端とそれに隣接するＰＴＡユニット３０２の対応する全てのチューブ１１２の上端とを高い精度で位置合わせして固定するのは、容易でなく、非常に多くの工程数を要し、製造コストが高くなる。【００１７】
発明者たちは、チューブの長手方向または垂直方向に隣接する２つのＰＴＡユニットのプラズマ・チューブの対応するサブグループ（部分群）を長手方向に同じ距離だけ交互にずらして配置して上側のチューブの下端とその対応する下側のチューブの上端とが互いに接触するようにすれば、２つのＰＴＡユニットを容易に位置合わせして固定することができる、と認識した。【００１８】
図７は、本発明の実施形態による、表示装置の組み立てに用いられる上側および下側の２つのＰＴＡユニット３１０および３１２におけるプラズマ・チューブ１１０および１１２におけるプラズマ・チューブの配置を示している。
ＰＴＡユニット３１０の１つのグループのプラズマ・チューブ１１０は、上向きに移動させた複数のサブグループのプラズマ・チューブ１１０Ｕと、残りの複数のサブグループのプラズマ・チューブ１１０Ｄとからなる。ＰＴＡユニット３１２の別のグループのプラズマ・チューブ１１２は、上向きに移動させた複数のサブグループのプラズマ・チューブ１１２Ｕと、残りの複数のサブグループのプラズマ・チューブ１１２Ｄとからなる。
サブグループのプラズマ・チューブ１１０Ｕおよび１１２Ｕは、サブグループのプラズマ・チューブ１１０Ｄおよび１１２Ｄに対して垂直方向に所定数ｎ0のピクセル分の距離、例えばｎ0＝３〜５ピクセルだけずれている。各サブグループは、水平方向の１ピクセルを構成するＲ、Ｇ、Ｂの３の整数倍の本数（例えば、３、６、９）の隣接するチューブ１１０または１１２で構成されている。ＰＴＡユニット３１０の前面側支持基板３１は、プラズマ・チューブ１１０Ｄの下端部分の所定数ｎ0のピクセル分の追加されたＸ電極およびＹ電極を有する。
代替構成として、サブグループのプラズマ・チューブ１１０Ｄおよび１１２Ｄを、サブグループのプラズマ・チューブ１１０Ｕおよび１１２Ｕに対して下向きに移動させてもよい。この場合、ＰＴＡユニット３１２の前面側支持基板３１は、上端部分の所定数ｎ0のピクセル分の追加されたＸ電極およびＹ電極を有する。
代替構成として、サブグループのプラズマ・チューブ１１０Ｕおよび１１２Ｕを上向きに移動させ、サブグループのプラズマ・チューブ１１０Ｄおよび１１２Ｄを下向きに移動させてもよい。この場合、ＰＴＡユニット３１０の前面側支持基板３１の底部分は、所定数ｎ0のピクセル分の追加されたＸ電極およびＹ電極の上側の一部を有し、ＰＴＡユニット３１２の前面側支持基板３１の頂部分は、所定数ｎ0のピクセル分の追加されたＸ電極およびＹ電極の残りの一部を有する。
このように、サブグループのプラズマ・チューブ１１０Ｕおよび１１２Ｕとサブグループのプラズマ・チューブ１１０Ｄおよび１１２Ｄとを管方向にずらして配置することによって、プラズマ・チューブ１１０Ｕおよび１１０Ｄの下端とプラズマ・チューブ１１２Ｕおよび１１２Ｄの上端の位置合わせが容易になる。また、ＰＴＡユニット３１０および３１２のプラズマ・チューブ１１０および１１２の継ぎ目が２本の水平ラインに分散配置されることによって、継ぎ目が目立たなくなるという利点がある。【００１９】
図８は、実施形態による、ＰＴＡユニット３１０および３１２、アドレス（Ａ）電極ドライバ装置４００および４０４、Ｘ電極ドライバ装置５００および５０４およびＹ電極ドライバ装置６００および６０４を具える表示装置１０２の概略的構成を示している。
表示装置１０２は、図７のＰＴＡユニット３１０および３１２を上述のようにして組み立てられている。この場合、各１つのサブグループを構成するプラズマ・チューブ１１０Ｕ、１１０Ｄ、１１２Ｕまたは１１２Ｄの数は同じである。
ＰＴＡユニット３１０用のＸ電極ドライバ装置５００およびＹ電極ドライバ装置６００は、サブグループのプラズマ・チューブ１１０Ｄの下端部分とサブグループのプラズマ・チューブ１１２Ｕの上端部分の垂直方向の所定数ｎｏのセルの表示電極対２を、ＰＴＡユニット３１０の前面側支持基板３１の底部の共通の表示電極対２を用いて駆動する。
サブグループのプラズマ・チューブ１１０Ｕおよび１１２Ｕを上向きに移動させ、サブグループのプラズマ・チューブ１１０Ｄおよび１１２Ｄを下向きに移動させた場合は、ＰＴＡユニット３１０用のＸ電極ドライバ装置５００およびＹ電極ドライバ装置６００は、サブグループのプラズマ・チューブ１１０Ｄの下端部分とサブグループのプラズマ・チューブ１１２Ｕの上端部分の垂直方向の所定数ｎｏの一部のセルの表示電極対２を、ＰＴＡユニット３１０の前面側支持基板３１の底部の共通の表示電極対２を用いて駆動し、ＰＴＡユニット３１２用のＸ電極ドライバ装置５０２およびＹ電極ドライバ装置６０２が、プラズマ・チューブ１１０Ｄの下端部分とチューブ１１２Ｕの上端部分の垂直方向の所定数ｎｏの残りのセルの表示電極対２を、ＰＴＡユニット３１２の前面側支持基板３１の頂部の共通の表示電極対２を用いて駆動する。【００２０】
図９は、図８の実施形態の変形であり、本発明の別の実施形態による、ＰＴＡユニット３１４および３１６、Ａ電極ドライバ装置４００および４０４、Ｘ電極ドライバ装置５００および５０４およびＹ電極ドライバ装置６００および６０４を具える表示装置１０４の概略的構成を示している。
表示装置１０４において、或る１つのサブグループのプラズマ・チューブ１１０Ｕ、１１０Ｄ、１１２Ｕまたは１１２Ｄの本数は、水平方向の別の位置にある別の１つのサブグループのプラズマ・チューブ１１０Ｕ、１１０Ｄ、１１２Ｕまたは１１２Ｄの本数と異なる。特に、水平方向の中央および中央により近い位置するサブグループのプラズマ・チューブ１１０Ｕ、１１０Ｄ、１１２Ｕまたは１１２Ｄの数は、水平方向の左右両辺付近に位置するサブグループのプラズマ・チューブ１１０Ｕ、１１０Ｄ、１１２Ｕまたは１１２Ｄの数より多い。その他のＰＴＡユニット３１４および３１６の構成は、図８のものと同様である。
この実施形態によれば、表示装置１０４の表示画面における中央位置における継ぎ目の２本の水平ラインの間の変化が視聴者にとって目障りでなくなる。一般的には、ＰＴＡユニット３１４および３１６の左右両辺付近における継ぎ目の位置合わせが行われた後は、中央部分の位置合わせは比較的容易に行える。【００２１】
図１０は、図８の実施形態の変形であり、本発明のさらに別の実施形態による、ＰＴＡユニット３１８および３２０、Ａ電極ドライバ装置４００および４０４、Ｘ電極ドライバ装置５００および５０４およびＹ電極ドライバ装置６００および６０４を具える表示装置１０６の概略的構成を示している。
ＰＴＡユニット３１８の１つのグループのプラズマ・チューブ１１０は、最も大きく上向きに移動させた複数のサブグループのプラズマ・チューブ１１０Ｕと、少し上向きに移動させた複数のサブグループのプラズマ・チューブ１１０Ｍと、残りの複数のサブグループのプラズマ・チューブ１１０Ｄとからなる。ＰＴＡユニット３１２の別のグループのプラズマ・チューブ１１２は、最も大きく上向きに移動させた複数のサブグループのプラズマ・チューブ１１２Ｕと、少し上向きに移動させた複数のサブグループのプラズマ・チューブ１１２Ｍと、残りの複数のサブグループのプラズマ・チューブ１１２Ｄとからなる。
サブグループのプラズマ・チューブ１１０Ｕおよび１１２Ｕは、サブグループのプラズマ・チューブ１１０Ｄおよび１１２Ｄに対して垂直方向に所定数ｎ0のピクセル分の距離、例えばｎ0＝４〜６ピクセルだけずれている。サブグループのプラズマ・チューブ１１０Ｍおよび１１２Ｍは、サブグループのプラズマ・チューブ１１０Ｄおよび１１２Ｄに対して垂直方向に所定数ｎ’0のピクセル分の距離、例えばｎ’0＝２〜３ピクセルだけずれている。各サブグループは、水平方向の１ピクセルを構成するＲ、Ｇ、Ｂの３の整数倍の本数（例えば、３、６、９）の隣接のチューブ１１０または１１２で構成されている。
図９の場合と同様に、或る１つのサブグループのプラズマ・チューブ１１０Ｕ、１１０Ｍ、１１０Ｄ、１１２Ｕ、１１２Ｍまたは１１２Ｄの本数は、水平方向の別の位置にある別の１つのサブグループのプラズマ・チューブ１１０Ｕ、１１０Ｍ、１１０Ｄ、１１２Ｕ、１１２Ｍまたは１１２Ｄの本数と異なってもよい。ＰＴＡユニット３１０の前面側支持基板３１は、プラズマ・チューブ１１０Ｍおよび１１０Ｄの下端部分の所定数のピクセル分の追加されたＸ電極およびＹ電極を有する。その他のＰＴＡユニット３１４および３１６の構成は、図８のものと同様である。
代替構成として、サブグループのプラズマ・チューブ１１０Ｄおよび１１２Ｄを、サブグループのプラズマ・チューブ１１０Ｕおよび１１２Ｕに対して最も大きく下向きに移動さ、サブグループのプラズマ・チューブ１１０Ｍおよび１１２Ｍを、サブグループのプラズマ・チューブ１１０Ｕおよび１１２Ｕに対して少し下向きに移動させてもよい。この場合、ＰＴＡユニット３１２の前面側支持基板３１は、上端部分の所定数ｎ0のピクセル分の追加されたＸ電極およびＹ電極を有する。
代替構成として、サブグループのプラズマ・チューブ１１０Ｍおよび１１２Ｍに対して、サブグループのプラズマ・チューブ１１０Ｕおよび１１２Ｕを上向きに移動させ、サブグループのプラズマ・チューブ１１０Ｄおよび１１２Ｄを下向きに移動させてもよい。この場合、ＰＴＡユニット３１０の前面側支持基板３１の底部分は、所定数ｎ0のピクセル分の追加されたＸ電極およびＹ電極の上側の一部を有し、ＰＴＡユニット３１２の前面側支持基板３１の頂部分は、所定数ｎ0のピクセル分の追加されたＸ電極およびＹ電極の残りの一部を有する。
このように、サブグループのプラズマ・チューブ１１０Ｕおよび１１２Ｕと、サブグループのプラズマ・チューブ１１０Ｍおよび１１２Ｍと、サブグループのプラズマ・チューブ１１０Ｄおよび１１２Ｄとを管の長手方向にずらして配置することによって、ＰＴＡユニット３１０および３１２のプラズマ・チューブ１１０および１１２の継ぎ目がより多くの水平ラインに分散配置されることによって、継ぎ目のラインがより目立たなくなるという利点がある。【００２２】
図１１は、図８の実施形態の変形であり、本発明のさらに別の実施形態による、ＰＴＡユニット３２２、３２４および３２６、Ａ電極ドライバ装置４００および４０４、Ｘ電極ドライバ装置５００、５０２および５０４およびＹ電極ドライバ装置６００、６０２および６０４を具える表示装置１０６の概略的構成を示している。この場合、ＰＴＡユニット３３２および３２４はより長いｍ本のプラズマ・チューブ１１０を共有しており、ＰＴＡユニット３２４および３２６はより長いｍ本のプラズマ・チューブ１１２を共有している。
サブグループのプラズマ・チューブ１１０Ｕおよび１１０Ｄの下端とサブグループのプラズマ・チューブ１１２Ｕおよび１１２Ｄの上端の継ぎ目の複数の水平ラインは、ＰＴＡユニット３２４の前面側支持基板３１の垂直方向の中央に位置する。この場合、その継ぎ目が、隣接する２つのＰＴＡユニット３２２と３２４またはＰＴＡユニット３２４と３２６のそれぞれの前面側支持基板３１の継ぎ目と異なる位置に配置されるので、プラズマ・チューブ１１０と１１２の端部の接触位置の継ぎ目と、前面側支持基板３１の継ぎ目とがより目立たなくなるという利点がある。
図９の実施形態と同様に、各サブグループのガス放電管の数は別のサブグループのガス放電管の数と異なっていてもよい。また、図１０の実施形態と同様に、幾つかのサブグループのガス放電管を或るサブグループのガス放電管に対して大きく移動させ、他の幾つかのサブグループのガス放電管をその或るサブグループのガス放電管に対して小さく移動させてもよい。【００２３】
図１２Ａ〜１２Ｇは、図８〜１１の表示装置１０２、１０４、１０６または１０８における、Ａ電極ドライバ装置４００および４０４、Ｘ電極ドライバ装置５００または５０２およびＹ電極ドライバ装置６００または６０２の出力駆動電圧波形の概略的な駆動シーケンスの例を示している。図１２Ａ〜１２Ｇのリセット期間ＴＲおよびサステイン期間ＴＳにおける出力駆動電圧波形は、図５の通常の表示装置のものと同様である。また、アドレス期間ＴＡにおいて、図１２Ｂ〜１２Ｃの電極Ｙ１〜Ｙｎに印加されるスキャン・パルスＶｙ１〜Ｖｙｎは図５の通常の表示装置のものと同様であり、その間にアドレス電極Ａ１〜Ａｍに図１２Ａのアドレス・パルスＶａ１〜Ｖａｎが印加される。
図１２Ｄ〜１２Ｇにおいて、Ｘ電極Ｘｎ＋１〜Ｘｎ＋ｎｏおよび電極Ｙｎ＋１〜Ｙｎ＋ｎｏは、プラズマ・チューブ１１０の下端部分とプラズマ・チューブ１１２の上端部分の双方のセルに配置された表示電極対２を表す。
アドレス期間ＴＡにおいて、図８〜１１の上側のＹ電極ドライバ装置６００または６０２は、ＰＴＡユニット３１０、３１４、３１８、または３２２および３２４の前面側支持基板上３１の上側のＹ電極Ｙ１〜Ｙｎに通常のスキャン・パルスＶｙ１〜Ｖｙｎを印加する。それに続いて、Ｙ電極ドライバ装置６００または６０２は、プラズマ・チューブ１１０の下端部分ｎ0本のＹ電極Ｙｎ＋１〜Ｙｎ＋ｎｏにスキャン・パルスＶｙｎ＋１〜Ｖｙｎ＋ｎｏを順次印加し、その間に上側のＡ電極ドライバ装置４００は、プラズマ・チューブ１１０Ｄの下端部分の所要のアドレス電極Ａｉにのみアドレス・パルスＶａｎ＋１〜Ｖａｎ＋ｎｏを印加する。それと並行して、下側のＹ電極ドライバ装置６０４または６０２および６０４は、ＰＴＡユニット３１２、３１６、３２０、または３２４および３２６の前面側支持基板上３１の下側のＹ電極Ｙ１〜Ｙｎｄに通常のスキャン・パルスＶｙ１〜Ｖｙｎｄ（図示ぜず）を印加する。その後、Ｙ電極ドライバ装置６００または６０２は、プラズマ・チューブ１１２の上端部分ｎ0本のＹ電極Ｙｎ＋１〜Ｙｎ＋ｎｏにスキャン・パルスＶｙｎ＋１〜Ｖｙｎ＋ｎｏを再び順次印加し、その間に下側のＡ電極ドライバ装置４０４は、プラズマ・チューブ１１２Ｕの上端部分の所要のアドレス電極Ａｉにのみアドレス・パルスＶａ’ｎ〜Ｖａ’ｎ＋ｎｏを印加する。
ＰＴＡユニット３１０、３１４、３１８、または３２２および３２４の前面側支持基板上３１におけるプラズマ・チューブ１１０および１１２Ｕの上端部分用の表示電極対２ （Ｘ１，Ｙ１）〜（Ｘｎ＋ｎｏ，Ｙｎ＋ｎｏ）の数ｎ＋ｎ0と、プラズマ・チューブ１１０Ｕの上端部分のｎ0個のピクセル分を除いたプラズマ・チューブ１１０の表示電極２ （Ｘ１，Ｙ１）〜（Ｘｎｄ，Ｙｎｄ）の数ｎｄは等しくてもよい（ｎ＋ｎ0＝ｎｄ）。【００２４】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく、実施形態の種々の変形を行えることは明らかである。
【図１】
2008050445.tif 000003
【図２】
2008050445.tif 000004
【図３】
2008050445.tif 000005
【図４】
2008050445.tif 000006
【図５】
2008050445.tif 000007
【図６】
2008050445.tif 000008
【図７】
2008050445.tif 000009
【図８】
2008050445.tif 000010
【図９】
2008050445.tif 000011
【図１０】
2008050445.tif 000012
【図１１】
2008050445.tif 000013
【図１２】
2008050445.tif 000014
【国際調査報告】
2008050445.tif 000015
2008050445.tif 000016
2008050445.tif 000017
2008050445.tif 000018